(57)【要約】【課題】装置の必要とする消費電力値が容易には分からないという問題があった。【解決手段】コンピュータシステム等電力を必要とする装置において、無線タグに消費電力値情報を記録し装置に貼り付け、その消費電力値情報を採取表示することによって、使用者が装置の消費電力を認識できるようにするものである。【選択図】      図１
2006268356.tif 000002
【特許請求の範囲】
【請求項１】
装置部品と、１以上の前記装置部品から構成される装置と、前記装置を１以上収容するラックと、を有する消費電力表示方式であって、前記装置部品は、自部品の使用する消費電力値を含むデータを書き込んだ無線タグを自部品に貼付し、前記装置は自装置の使用する消費電力値を含むデータを書き込んだ前記無線タグを自装置に貼付し、前記ラックは、前記無線タグから消費電力値を含むデータを収集する無線タグセンサーと、前記無線タグセンサーが収集した消費電力値を含むデータを入力し前記ラックが収容する前記装置全体の消費電力値を合計して表示するセンサー表示部と、を備えることを特徴とする消費電力表示方式。
【請求項２】
前記無線タグは、前記無線タグの属する前記装置を識別するコードをデータとして記録し、前記センサー表示部は、前記コードによって前記装置別に集計した消費電力値を求め、前記装置別に消費電力値の切替表示をさらに行うことを特徴とする請求項１記載の消費電力表示方式。
【発明の詳細な説明】
【技術分野】
【０００１】
本発明は消費電力表示方式に関し、特に、装置構成部品の使用する消費電力を無線タグに書き込み当該装置構成部品に貼り付け、装置に設けた無線タグセンサーで各無線タグの消費電力値を読み取りこれを集計して表示器に表示する無線タグによる消費電力表示方式に関する。
【背景技術】
【０００２】
従来、コンピュータシステムで内蔵するオプションパーツ類を組み合わせて構成される装置における消費電力は、オプションパーツ類を最大数搭載した状態での最大消費電力を、装置仕様として仕様書等で提示しているのみであった。
【０００３】
コンピュータシステムが実際にお客様にて使用される状態においては、オプションパーツ類は最大数搭載されないケースが殆どである。しかしながら、実際の消費電力が判らないという問題があるため、装置仕様に記載された最大消費電力に合わせた給電端子盤(分電盤)を用意している。そのため、実際には消費電力が少ないにもかかわらず、一つの給電端子に複数の装置を接続できないといった状態になり、電源設備を有効に活用できず、多くの電源設備を準備しなければならないといったケースも生じている。
【０００４】
特許文献１には、表示部と、表示内容を制御する表示制御部と、外部から表示情報を受信可能であり、かつ表示制御部と電気的に接続された非接触ＩＣタグとを備える電子表示媒体とそれを用いた電子表示媒体の表示情報書き換え方法が記載されている。
【０００５】
【特許文献１】特開２００４−２９２５９
【発明の開示】
【発明が解決しようとする課題】
【０００６】
プロセッサを持つ装置では、オプションパーツ等から消費電力を読み出すインタフェースを設ければ、技術的にはその装置の持つ実際の消費電力を収集し明示することは可能である。しかし、コンピュータシステム等では装置の中に組み込まれるオプションパーツ類の機器は複数のベンダによって製造されるものであり、消費電力値を読み出す目的で各ベンダの機器に共通したインターフェースを持たせることは難しい。また、HW機器に盛り込むことは、それぞれの機器が現行よりも製造原価が大きく上がってしまう可能性がある。無線タグは、これらの問題を全て解決することができる。すなわち、無線タグに消費電力情報を書き込み機器に貼り付けるだけでＨＷ機能を作りこまずに済み、プロセッサを持たない機器にも対応することが可能である。また、異なる機器を一括して管理することが
可能であり、管理コストは少なくて済む。
【０００７】
装置本体及びオプションパーツ類に、あらかじめ消費電力を記録した無線タグを貼り付けておく(図１)。これらの無線タグ情報を収集するためのセンサーを持ち、収集した消費電力情報から積算値を求め表示するセンサー表示部を有する（図２、図３）。
【課題を解決するための手段】
【０００８】
本発明の第１の消費電力表示方式は、装置部品と、１以上の前記装置部品から構成される装置と、前記装置を１以上収容するラックと、を有する消費電力表示方式であって、前記装置部品は、自部品の使用する消費電力値を含むデータを書き込んだ無線タグを自部品に貼付し、前記装置は自装置の使用する消費電力値を含むデータを書き込んだ前記無線タグを自装置に貼付し、前記ラックは、前記無線タグから消費電力値を含むデータを収集する無線タグセンサーと、前記無線タグセンサーが収集した消費電力値を含むデータを入力し前記ラックが収容する前記装置全体の消費電力値を合計して表示するセンサー表示部と、を備えることを特徴とする。
【０００９】
本発明の第２の消費電力表示方式は、前記第１の消費電力表示方式に於いて、前記無線タグは、前記無線タグの属する前記装置を識別するコードをデータとして記録し、前記センサー表示部は、前記コードによって前記装置別に集計した消費電力値を求め、前記装置別に消費電力値の切替表示をさらに行うことを特徴とする。
【発明の効果】
【００１０】
実際の消費電力を明示することにより、給電端子盤の一つの給電端子に複数の装置を接続可能か判断することが可能になる。これにより、電源設備を効率的に使用できるようになる。
コンピュータシステムでは、内蔵するプロセッサ等を利用して消費電力値を収集することも考えられるが、その為に装置内外にインタフェース等を張り巡らせる必要があり、ＨＷが増加し現実的ではない。
無線タグを利用することで、ＨＷに手を加えることなく、既存のシステムに対しても適用が可能となり、全ての装置を統一して管理可能となる。また、プロセッサを持たない装置に対しても簡単に適用が可能となる。
【発明を実施するための最良の形態】
【００１１】
次に、本発明を実施するための最良の形態について図面を参照して詳細に説明する。
【００１２】
図１を参照すると、装置100には無線タグ131が貼り付けられている。無線タグ131には装置100の消費電力値132と装置グループを示すグループコード133が記録されている。
【００１３】
また、装置100のオプションパーツ101、オプションパーツ102には、各々無線タグ111、無線タグ121が貼り付けられ、各々の無線タグには消費電力値112、消費電力値122とグループコード113、グループコード123が記録されている。
【００１４】
図２は、図１で説明した無線タグを貼り付けた装置100及び同様な無線タグを貼り付けた装置200、装置300がラック201に搭載された例である。
【００１５】
装置100、装置200、装置300は異なる装置でもよく、消費電力値とグループコードが記録された無線タグが貼り付けられていればよい。
【００１６】
また、ラック201には無線タグの情報を収集するための無線タグセンサー410と、センサー表示部400が搭載されている。
【００１７】
図３は、センサー表示部400の構成を示している、センサー表示部400は無線タグセンサー410への接続部であるセンサー接続部401と、無線タグより読み出した情報を格納する記憶部403と、格納した情報を加工するための演算部402、消費電力等の表示を行う表示制御部404、及び表示制御部404に接続されたＬＣＤ405とスイッチ406から構成される。
【００１８】
次に、本発明を実施するための最良の形態の動作について図面を参照して説明する。
【００１９】
センサー表示部400は、センサー接続部401に接続された無線タグセンサー410より、ラック(201)に搭載されている装置100、装置200、装置300に貼り付けられた各無線タグの情報を収集する。例えば、装置100では、装置本体の無線タグ131、オプションパーツ101、オプションパーツ102の無線タグ111、無線タグ121から情報を収集する。
【００２０】
センサー接続部401より収集された情報は、記憶部403に記録する。収集した情報には、装置100であれば消費電力値112、消費電力値122、消費電力値132とグループコード113、グループコード123、グループコード133が含まれている。
【００２１】
オプションパーツ101、オプションパーツ102は装置100に搭載され電源供給を受けるため、グループコード113、グループコード123、グループコード133は同一コードとなっている。また、他の装置200、装置300についても、同様に消費電力値とグループコードが入った情報が無線タグより収集される。
【００２２】
表示制御部404は、ＬＣＤ405及びスイッチ406に接続され、演算部402とのインターフェースによりＬＣＤ405に表示する機能と、スイッチ406の押下を演算部402に通知する機能を持つ。
【００２３】
演算部402は、記憶部に格納された装置100、装置200、装置300のオプションパーツを含めた消費電力値を合計し、ラック内の総消費電力値として表示制御部404へ送る。表示制御部404はこれをＬＣＤ405へ表示する。
【００２４】
次に、スイッチ406を押下すると、表示制御部404は演算部402に通知し、演算部402は装置100だけの消費電力を合計し表示制御部404へ送り、表示制御部404はこれをＬＣＤ405へ表示する。
【００２５】
装置100のみの消費電力は、記憶部に格納された無線タグ情報のうち同一のグループコードの消費電力値を検索し合計することで得ることができる。装置100の場合、グループコード113、グループコード123、グループコード133が装置100のグループを示し、これらに該当する消費電力値112、消費電力値122、消費電力値132を合計する。更に、スイッチ406を押下することによって、装置200のみの消費電力、装置300のみの消費電力とサイクリックに表示する。
【産業上の利用可能性】
【００２６】
コンピュータシステム及び給電を必要とする機器において、機器の使用する正確な消費電力値を容易に機器上で表示可能とする。
【図面の簡単な説明】
【００２７】
【図１】本発明の実施例の装置本体とオプションパーツそれぞれに無線タグを貼り付けた外観図である。
【図２】本発明の実施例の無線タグセンサーをラックに設けた外観図である。
【図３】本発明の実施例のセンサー表示部の構成を説明するブロック図である。
【符号の説明】
【００２８】
100    装置
131    無線タグ
133    グループコード
400    センサー表示部
410    無線タグセンサー
【図１】
2006268356.tif 000003
【図２】
2006268356.tif 000004
【図３】
2006268356.tif 000005